(57)【要約】  本発明の実施形態は、ネットワーク端末がネットワーク接続起動情報とＶＯＩＰアプリケーション情報をトラッキングして取得し、そして前記情報を表示することと、ネットワーク端末がユーザより入力された運転情報検索コマンドを受信し、運転情報検索コマンドによって要求される運転情報を取得し、そして前記運転情報を表示することとを含むネットワーク端末の表示方法を開示する。本発明の実施形態は、同時にネットワーク端末を開示する。本発明の実施形態の技術的解決手段を使用すれば、ネットワーク端末が起動及び運転する場合の具体的な情報を適時かつ直観的に取得することができ、ネットワークが故障した場合、他の端末装置を介してネットワーク端末を接続することなく、故障を便利かつ迅速にチェックすることができ、そして、ユーザがネットワーク端末の管理設定情報を直観的に見て変更することができ、操作が簡単、便利であり、ユーザ体験を向上させる。
2016503626.tif 000002
【特許請求の範囲】
【請求項１】
ネットワーク端末の表示方法であって、
ネットワーク端末は、ネットワーク接続起動情報と音声インターネットプロトコル（ＶＯＩＰ）アプリケーション情報をトラッキングして取得し、そして前記情報を表示することと、
ネットワーク端末は、ユーザより入力された運転情報検索コマンドを受信し、運転情報検索コマンドによって要求された運転情報を取得し、そして前記運転情報を表示することと、を含む、方法。
【請求項２】
ネットワーク端末は、ローカルの管理設定情報を表示し、ユーザより入力された管理設定コマンドを受信し、そして前記管理設定コマンドに応じてローカルの管理設定情報を更新することをさらに含むことを特徴とする
請求項１に記載の方法。
【請求項３】
前記管理設定コマンドは、
ネットワーク端末のユーザ管理コマンドとネットワーク端末のネットワークパラメータ設定コマンドを含むことを特徴とする
請求項２に記載の方法。
【請求項４】
前記運転情報検索コマンドによって要求される運転情報は、ネットワーク接続状態情報、ネットワーク接続トラフィック、ネットワーク端末アクセスユーザ数、ＶＯＩＰアプリケーション通話記録およびユーザアカウント情報の少なくとも一つを含むことを特徴とする
請求項１、２または３に記載の方法。
【請求項５】
運転情報検索コマンドによって要求される運転情報がユーザアカウント情報である場合、当該方法は、
ネットワーク端末が、インターネットサービスプロバイダ（ＩＳＰ）サーバへ前記ユーザアカウント情報を要求し、そして前記ＩＳＰサーバによって前記ユーザアカウント情報を返した後に、前記ユーザアカウント情報を表示することをさらに含むことを特徴とする
請求項４に記載の方法。
【請求項６】
ネットワーク端末であって、表示モジュール、グラフィカルユーザインターフェース（ＧＵＩ）管理モジュール、トラッキング取得モジュールおよび入力モジュールを含み、
前記トラッキング取得モジュールは、ネットワーク接続起動情報と音声インターネットプロトコル（ＶＯＩＰ）アプリケーション情報をトラッキングして取得し、前記ＧＵＩ管理モジュールにより受信された運転情報検索コマンドによって要求される運転情報をトラッキングして取得するように構成され、
前記ＧＵＩ管理モジュールは、前記入力モジュールを介してユーザの運転情報検索コマンドを受信し、前記トラッキング取得モジュールにより取得されたネットワーク接続起動情報とＶＯＩＰアプリケーション情報とを表示するように前記表示モジュールを制御し、前記トラッキング取得モジュールによりトラッキングして取得されたユーザの運転情報検索コマンドによって要求される運転情報を表示するように前記表示モジュールを制御するように構成される、ネットワーク端末。
【請求項７】
前記ネットワーク端末は、記憶モジュールとプロセッサをさらに含み、
前記記憶モジュールは、管理設定情報を記憶するように構成され、
前記プロセッサは、前記記憶モジュールから管理設定情報を読み取り、前記ＧＵＩ管理モジュールにより受信された管理設定コマンドに応じて、前記記憶モジュールの管理設定情報を更新するように構成され、
前記ＧＵＩ管理モジュールは、さらに、前記プロセッサが前記記憶モジュールから読み取った管理設定情報を表示するように前記表示モジュールを制御し、前記入力モジュールを介してユーザの管理設定コマンドを受信するように構成されることを特徴とする
請求項６に記載のネットワーク端末。
【請求項８】
前記管理設定コマンドは、
前記ネットワーク端末のユーザ管理コマンドと前記ネットワーク端末のネットワークパラメータ設定コマンドを含むことを特徴とする
請求項７に記載のネットワーク端末。
【請求項９】
前記運転情報検索コマンドによって要求される運転情報は、
ネットワーク接続状態情報、ネットワーク接続トラフィック、アクセスユーザ数、ＶＯＩＰアプリケーション通話記録およびユーザアカウント情報の少なくとも一つを含むことを特徴とする
請求項６、７または８に記載のネットワーク端末。
【請求項１０】
運転情報検索コマンドによって要求される運転情報がユーザアカウント情報である場合、
前記プロセッサは、さらに、ＩＳＰサーバへ前記ユーザアカウント情報を要求し、そして前記ＩＳＰサーバから返された前記ユーザアカウント情報を受信するように構成され、
前記ＧＵＩ管理モジュールは、さらに、プロセッサにより受信されたユーザアカウント情報を表示するように前記表示モジュールを制御するように構成されることを特徴とする
請求項９に記載のネットワーク端末。
【発明の詳細な説明】
【技術分野】
【０００１】
本発明は、ネットワーク通信表示技術に関し、特にネットワーク端末及びその表示方法に関する。
【背景技術】
【０００２】
ネットワーク帯域幅の向上とホームネットワーク知能化技術の継続的な発展に伴い、人々のネットワーク端末製品に対する可視化、知能化需要がますます高まり、将来のネットワーク端末は、基礎サービスを主導とするものから多機能、マルチサービスの、ユーザ個性を表示するネットワークプラットフォームになる。ネットワーク端末は、ホームネットワークの重要な部分として、主にホームにおける装置にネットワークアクセス、音声インターネットプロトコル（ＶＯＩＰ：Ｖｏｉｃｅ  Ｏｖｅｒ  Ｉｎｔｅｒｎｅｔ  Ｐｒｏｔｏｃｏｌ）機能を提供する。
【０００３】
従来のネットワーク端末は、他の端末装置を介してネットワーク端末のゲートウェイアドレスにアクセスし、およびネットワーク端末の発光ダイオード（ＬＥＤ：ｌｉｇｈｔ  Ｅｍｉｔｔｉｎｇ  Ｄｉｏｄｅ）ライトの点滅状態と組み合わせて、ネットワーク端末の運転情報を取得する必要がある。他の端末装置を使用しなくてネットワーク端末を接続する場合、ＬＥＤライトだけで、ネットワーク端末の運転の詳細な情報を取得できなく、ネットワーク端末の操作が不便になって、特に故障する場合、例えばネットワークパラメータ設定が違うのでネットワークを接続できない場合、ＬＥＤライトで故障ポイントを迅速に測位することができなく、故障の検索及び解決コストを増加させる。
【発明の概要】
【発明が解決しようとする課題】
【０００４】
これを鑑みて、本発明の実施形態の主な目的は、従来のネットワーク端末が、他の端末装置を介してネットワーク端末のゲートウェイにアクセスすることができない場合、ＬＥＤライトだけでネットワーク端末の運転情報を見ることができないので、操作が不便になる問題を少なくとも解決するように、ネットワーク端末及びその表示方法を提供することにある。
【課題を解決するための手段】
【０００５】
上記目的を達成するために、本発明の実施形態の技術的解決手段は、以下のように実現される。
【０００６】
本発明の実施形態に係るネットワーク端末の表示方法は、
ネットワーク端末は、ネットワーク接続起動情報と音声インターネットプロトコル（ＶＯＩＰ）アプリケーション情報をトラッキングして取得し、そして前記情報を表示することと、
ネットワーク端末は、ユーザより入力された運転情報検索コマンドを受信し、運転情報検索コマンドによって要求された運転情報を取得し、そして前記運転情報を表示することと、を含む。
【０００７】
好ましくは、当該方法は、
ネットワーク端末は、ローカルの管理設定情報を表示し、ユーザより入力された管理設定コマンドを受信し、そして前記管理設定コマンドに応じてローカルの管理設定情報を更新することをさらに含む。
【０００８】
好ましくは、前記管理設定コマンドは、
ネットワーク端末のユーザ管理コマンドとネットワーク端末のネットワークパラメータ設定コマンドを含む。
【０００９】
好ましくは、前記運転情報検索コマンドによって要求される運転情報は、ネットワーク接続状態情報、ネットワーク接続トラフィック、ネットワーク端末アクセスユーザ数、ＶＯＩＰアプリケーション通話記録およびユーザアカウント情報の少なくとも一つを含む。
【００１０】
好ましくは、運転情報検索コマンドによって要求される運転情報がユーザアカウント情報である場合、当該方法は、
ネットワーク端末が、インターネットサービスプロバイダ（ＩＳＰ：Ｉｎｔｅｒｎｅｔ  Ｓｅｒｖｉｃｅ  Ｐｒｏｖｉｄｅｒ）サーバへ前記ユーザアカウント情報を要求し、そしてＩＳＰサーバによって前記ユーザアカウント情報を返した後に、前記ユーザアカウント情報を表示することをさらに含む。
【００１１】
本発明の実施形態に係るネットワーク端末は、表示モジュール、グラフィカルユーザインターフェース（ＧＵＩ：Ｇｒａｐｈｉｃａｌ  Ｕｓｅｒ  Ｉｎｔｅｒｆａｃｅ）管理モジュール、トラッキング取得モジュールおよび入力モジュールを含み、
前記トラッキング取得モジュールは、ネットワーク接続起動情報と音声インターネットプロトコル（ＶＯＩＰ）アプリケーション情報をトラッキングして取得し、ＧＵＩ管理モジュールにより受信された運転情報検索コマンドによって要求される運転情報をトラッキングして取得するように構成され、
前記ＧＵＩ管理モジュールは、入力モジュールを介してユーザの運転情報検索コマンドを受信し、トラッキング取得モジュールにより取得されたネットワーク接続起動情報とＶＯＩＰアプリケーション情報を表示するように表示モジュールを制御し、トラッキング取得モジュールによりトラッキングして取得されたユーザの運転情報検索コマンドによって要求される運転情報を表示するように表示モジュールを制御するように構成される。
【００１２】
好ましくは、前記ネットワーク端末は、記憶モジュールとプロセッサをさらに含み、
前記記憶モジュールは、管理設定情報を記憶するように構成され、
前記プロセッサは、記憶モジュールから管理設定情報を読み取り、ＧＵＩ管理モジュールにより受信された管理設定コマンドに応じて、記憶モジュールの管理設定情報を更新するように構成され、
前記ＧＵＩ管理モジュールは、さらに、プロセッサが記憶モジュールから読み取った管理設定情報を表示するように表示モジュールを制御し、入力モジュールを介してユーザの管理設定コマンドを受信するように構成される。
【００１３】
好ましくは、前記管理設定コマンドは、
ネットワーク端末のユーザ管理コマンドとネットワーク端末のネットワークパラメータ設定コマンドを含む。
【００１４】
好ましくは、前記運転情報検索コマンドによって要求される運転情報は、
ネットワーク接続状態情報、ネットワーク接続トラフィック、アクセスユーザ数、ＶＯＩＰアプリケーション通話記録およびユーザアカウント情報の少なくとも一つを含む。
【００１５】
好ましくは、運転情報検索コマンドによって要求される運転情報がユーザアカウント情報である場合、
前記プロセッサは、さらに、ＩＳＰサーバへ前記ユーザアカウント情報を要求し、そしてＩＳＰサーバから返された前記ユーザアカウント情報を受信するように構成され、
前記ＧＵＩ管理モジュールは、さらに、プロセッサにより受信されたユーザアカウント情報を表示するように表示モジュールを制御するように構成される。
【００１６】
本発明の実施形態に係る技術的解決手段において、ネットワーク端末は、ネットワーク接続起動情報とＶＯＩＰアプリケーション情報をトラッキングして取得し、そして前記情報を表示し、ユーザより入力された検索コマンドを受信し、運転情報検索コマンドによって要求される情報を取得し、そして前記情報を表示し、このようにして、ネットワーク端末が起動及び運転する場合の具体的な情報を適時かつ直観的に取得することができ、ネットワークが故障する場合、他の端末装置を介してネットワーク端末を接続することなく、便利かつ迅速に前記情報に基づいて故障をチェックすることができる。
【００１７】
そして、ネットワーク端末は、ローカルの管理設定情報を直観的にユーザに表示し、そしてユーザの管理設定コマンドに応じてローカルの管理設定情報を更新することができ、操作が簡単、便利であり、ユーザ体験を向上させる。
【図面の簡単な説明】
【００１８】
【図１】本発明の実施形態に係るネットワーク端末の表示方法の実現プロセスを示す図である。
【図２】本発明の実施形態に係るネットワーク端末の構成構造を示す図である。
【発明を実施するための形態】
【００１９】
以下、図面及び具体的な実施形態を参照して本発明をさらに詳しく説明する。
【００２０】
図１は本発明の実施形態に係るネットワーク端末の表示方法の実現プロセスを示す図である。図１に示すように、当該方法は、以下のステップを含む。
【００２１】
ステップ１０１において、ネットワーク端末は、ネットワーク接続起動情報とＶＯＩＰアプリケーション情報をトラッキングして取得し、そして前記情報を表示する。
【００２２】
好ましくは、前記ＶＯＩＰアプリケーション情報は、ＶＯＩＰアプリケーション起動情報とＶＯＩＰアプリケーション現在連絡先番号を含む。
【００２３】
好ましくは、ネットワーク接続起動情報とＶＯＩＰアプリケーション情報は、ネットワーク接続のために割り当てられるポートとＶＯＩＰアプリケーションのために割り当てられるポートをそれぞれトラッキングすることで取得される。
【００２４】
ステップ１０２において、ネットワーク端末は、ユーザより入力された運転情報検索コマンドを受信し、運転情報検索コマンドによって要求される運転情報を取得し、そして前記運転情報を表示する。
【００２５】
好ましくは、前記運転情報検索コマンドによって要求される運転情報は、ネットワーク接続状態情報、ネットワーク接続トラフィック、ネットワーク端末アクセスユーザ数、ＶＯＩＰアプリケーション通話記録およびユーザアカウント情報の少なくとも一つを含む。
【００２６】
好ましくは、前記ネットワーク接続状態情報は、有線ネットワーク接続状態情報と無線ネットワーク接続状態情報を含む。
【００２７】
好ましくは、前記ネットワーク接続状態情報、ネットワーク接続トラフィックおよびネットワーク端末アクセスユーザ数は、ネットワーク接続のために割り当てられるポートをトラッキングすることで取得され、前記ＶＯＩＰアプリケーション通話記録は、ＶＯＩＰアプリケーションのために割り当てられるポートをトラッキングすることで取得される。
【００２８】
好ましくは、前記運転情報検索コマンドによって要求される運転情報は、さらに記憶装置接続状態情報を含むことができる。
【００２９】
好ましくは、前記記憶装置接続状態情報は、ネットワーク端末の外部メモリインタフェースをトラッキングすることで取得される。
【００３０】
好ましくは、ユーザ検索コマンドによって要求される情報がユーザアカウント情報である場合、当該方法は、
ネットワーク端末が、インターネットサービスプロバイダ（ＩＳＰ：Ｉｎｔｅｒｎｅｔ  Ｓｅｒｖｉｃｅ  Ｐｒｏｖｉｄｅｒ）サーバへ前記ユーザアカウント情報を要求し、そしてＩＳＰサーバによって前記ユーザアカウント情報を返した後に、前記ユーザアカウント情報を表示することをさらに含む。
【００３１】
好ましくは、本ステップは、
ネットワーク端末がローカルの管理設定情報を表示し、ユーザより入力された管理設定コマンドを受信し、そして前記管理設定コマンドに応じてローカルの管理設定情報を更新することをさらに含む。
【００３２】
好ましくは、前記管理設定コマンドは、ネットワーク端末のユーザ管理コマンドとネットワーク端末のネットワークパラメータ設定コマンドを含む。
【００３３】
ステップ１０１とステップ１０２とにおいて、ネットワーク端末は、キーボードを使用してユーザより入力されたコマンドを受信し、同時にマルチメディアスクリーンを使用して情報をユーザに表示することができ、タッチスクリーンを使用して、ユーザより入力されたコマンドを受信し、および情報をユーザに表示することもできる。
【００３４】
図２は本発明の実施形態に係るネットワーク端末の構成構造を示す図である。図２に示すように、当該ネットワーク端末は、トラッキング取得モジュール２１、グラフィカルユーザインターフェース（ＧＵＩ：Ｇｒａｐｈｉｃａｌ  Ｕｓｅｒ  Ｉｎｔｅｒｆａｃｅ）管理モジュール２２、表示モジュール２３および入力モジュール２４を含む。
【００３５】
前記トラッキング取得モジュール２１は、ネットワーク接続起動情報とＶＯＩＰアプリケーション情報をトラッキングして取得し、ＧＵＩ管理モジュール２２により受信された運転情報検索コマンドによって要求される運転情報をトラッキングして取得するように構成される。
【００３６】
前記ＧＵＩ管理モジュール２２は、入力モジュール２４を介してユーザより入力された運転情報検索コマンドを受信し、トラッキング取得モジュール２１により取得されたネットワーク接続起動情報とＶＯＩＰアプリケーション情報を表示するように表示モジュール２３を制御し、トラッキング取得モジュール２１によりトラッキングして取得されたユーザの運転情報検索コマンドによって要求される運転情報を表示するように表示モジュール２３を制御するように構成される。
【００３７】
好ましくは、前記ネットワーク端末は、プロセッサ２５と記憶モジュール２６とをさらに含む。
【００３８】
前記プロセッサ２５は、記憶モジュール２６から管理設定情報を読み取り、ＧＵＩ管理モジュール２２により受信された管理設定コマンドに応じて、記憶モジュール２６の管理設定情報を更新するように構成され、
前記記憶モジュール２６は、管理設定情報を記憶するように構成される。
【００３９】
前記ＧＵＩ管理モジュール２２は、さらに、プロセッサ２５が記憶モジュール２６から読み取った管理設定情報を表示するように表示モジュール２３を制御し、入力モジュール２４を介してユーザの管理設定コマンドを受信するように構成される。
【００４０】
好ましくは、前記管理設定コマンドは、
ネットワーク端末のユーザ管理コマンドとネットワーク端末のネットワークパラメータ設定コマンドを含む。
【００４１】
好ましくは、前記運転情報検索コマンドによって要求される運転情報は、
ネットワーク接続状態情報、ネットワーク接続トラフィック、アクセスユーザ数、ＶＯＩＰアプリケーション通話記録およびユーザアカウント情報を含む。
【００４２】
好ましくは、ユーザより入力された運転情報検索コマンドによって要求される運転情報がユーザアカウント情報である場合、
前記プロセッサ２５は、さらに、ＩＳＰサーバへ前記ユーザアカウント情報を要求し、そしてＩＳＰサーバから返された前記ユーザアカウント情報を受信するように構成され、
前記ＧＵＩ管理モジュール２２は、さらに、プロセッサ２５により受信されたユーザアカウント情報を表示するように表示モジュール２３を制御するように構成される。
【００４３】
以上は、本発明の最適的な実施例に過ぎなく、本発明の保護範囲を制限することに用いられるものではない。
【産業上の利用可能性】
【００４４】
本発明の実施形態に係る技術的解決手段において、ネットワーク端末は、ネットワーク接続起動情報とＶＯＩＰアプリケーション情報をトラッキングして取得し、そして前記情報を表示し、ユーザより入力された検索コマンドを受信し、運転情報検索コマンドによって要求される情報を取得し、そして前記情報を表示し、このようにして、ネットワーク端末が起動及び運転する場合の具体的な情報を適時かつ直観的に取得することができ、ネットワークが故障する場合、他の端末装置を介してネットワーク端末を接続することなく、便利かつ迅速に前記情報に基づいて故障をチェックすることができ、そして、ネットワーク端末は、ローカルの管理設定情報を直観的にユーザに表示させ、ユーザの管理設定コマンドに応じてローカルの管理設定情報を更新し、操作が簡単、便利であり、ユーザ体験を向上させる。
【図１】
2016503626.tif 000003
【図２】
2016503626.tif 000004
【国際調査報告】
2016503626.tif 000005
2016503626.tif 000006
2016503626.tif 000007
2016503626.tif 000008